(57)【特許請求の範囲】
【請求項１】
コネクタ組立体嵌合縦軸に沿って配置された第１及び第２コネクタハウジングと、コネクタ位置保証装置とを具備し、前記第１及び第２コネクタハウジングは、前記縦軸に沿って配置された嵌合インタフェース及び後端をそれぞれ有する電気コネクタ組立体であって、前記第１及び第２コネクタハウジングの一方の外面に取り付けられた可撓性ラッチ組立体が、前記第１及び第２コネクタハウジングの一方の嵌合端付近に基部が配置され且つ互いに平行に且つ前記縦軸に平行に後方へ延びる１対のラッチビームを有し、該ラッチビームは、ラッチ位置及びラッチ解除位置の間を前記縦軸に対する横断軸及び前記外面の双方に沿った横方向に可撓性を有し、前記コネクタ位置保証装置は、前記ラッチビームに対して第１及び第２位置間を移動可能であるビームブロック部を有する電気コネクタ組立体において、
前記１対のラッチビームは、該ラッチビームの遠端に、互いに前記横方向に離間して位置する広がった端壁を有し、
前記ビームブロック部は、前記第１位置では前記ラッチビームから前記横方向に離隔して前記ラッチビームの前記横方向の撓みを許容し、
前記ビームブロック部は、前記第２位置では前記ラッチビームに直に隣接した位置に移動して前記ラッチビームの前記横方向の撓みを防止することを特徴とする電気コネクタ組立体。
【請求項２】
前記ラッチビームは、ビームの撓まない休止位置では前記第１及び第２コネクタハウジングの他方の関連するラッチ要素とラッチするラッチ部材を有し、
該ラッチ部材は、前記横方向に移動して前記ラッチ要素と係合及び係合解除することを特徴とする請求項１記載の電気コネクタ組立体。
【請求項３】
前記ビームブロック部は前記１対のラッチビーム間に受容され、
前記ビームブロック部は、前記コネクタ位置保証装置が前記第１位置に位置する間、前記ラッチビームが互いに向って前記横方向内方に撓むのを許容し、
前記ビームブロック部は前記ラッチビームの内面を有し、前記第２位置での前記横方向の撓みを阻止することを特徴とする請求項１記載の電気コネクタ組立体。
【発明の詳細な説明】
【０００１】
【発明の属する技術分野】
本発明は、ヘッダ及びプラグ等の互いに嵌合可能な接続半体が嵌合完了することを保証するコネクタ位置保証装置（ＣＰＡ）を有する電気コネクタ組立体に関する。
【０００２】
【従来の技術】
米国特許第５，６４３，００３号は、ＣＰＡを摺動可能に受容する溝を有するハウジングラッチを有するプラグハウジングを具備するコネクタ組立体を開示する。このＣＰＡは、ハウジングの嵌合側の面から挿入され、相手コネクタがハウジングに対して嵌合完了することを保証するよう作用する。ＣＰＡは可撓性ビーム及びエンボスを有する。ＣＰＡが最終位置に移動すると、ビームはラッチの突起の下に撓む。ＣＰＡが最終位置に位置すると、作業者は、ハウジングが相手コネクタに嵌合完了したことを容易に観察することができる。
【０００３】
別の公知のＣＰＡが米国特許第５，６５１，６８９号に開示されている。この‘６８９特許は、１対の電気コネクタの嵌合完了状態を検知すると共に相互ロック可能に固定するＣＰＡを有する電気コネクタ組立体を開示する。このＣＰＡは、片持ち梁をロック部材に捕捉するヨーク(yolk)を有する。可撓性アームは、ヨークに取り付けられると共に、１対の片持ち梁間に延びる。このヨークは、片持ち梁をロック部材に捕捉する。
【０００４】
【発明が解決しようとする課題】
従来のＣＰＡは、多くの技法と同様に、２個のコネクタが互いに嵌合完了することを確保するという基本目的を達成するが、改良及び代わりの設計が望ましい。本発明の好適実施形態は、このような改良及び代替手段を従来のＣＰＡの設計に対し提供するものである。
【０００５】
【課題を解決するための手段】
電気コネクタ組立体は、コネクタ位置保証装置（ＣＰＡ）と、コネクタ組立体嵌合縦軸に沿って配置された第１及び第２コネクタハウジングとを具備する。第１及び第２コネクタハウジングの各々は、縦軸に沿って配置された縦軸に直交する嵌合インタフェースと、後端とを有する。電気コネクタ組立体は、第１及び第２コネクタハウジングの一方の外面に取り付けられた可撓性ラッチ組立体を具備する。このラッチ組立体は、ラッチ位置及びラッチ解除位置の間を縦軸に対する横断軸に沿って可撓性を有する少なくとも１本のラッチビームを有する。ＣＰＡは、ラッチビームに対して第１及び第２位置間を移動可能であるビームブロック部を有する。ビームブロック部は、第１位置ではラッチビームから横方向に離隔して横断軸に沿ったビームの横方向の撓みを許容する。ビームブロック部は、第２位置ではラッチビームに直に隣接した位置に移動し、横断軸に沿ったラッチビームの横方向の撓みを防止する。
【０００６】
少なくとも代わりの一実施形態によれば、ラッチビームは、プラグコネクタハウジングの一端に形成された１対のラッチビームを含む。１対のラッチビームは、休止位置では縦軸に平行に延びて、横断軸に沿った両方向に互いに離れる横方向に可撓性を有する。別の実施形態によれば、ラッチ組立体は、プラグ及びヘッダハウジングの一方の中央に配置された単一のラッチビームを有する。単一のラッチビームは、プラグ及びヘッダハウジングの一方に取り付けられた一端を有する。単一のラッチビームは、撓まない休止位置では縦軸に平行に延びて、横断軸に沿ったいずれかの横方向に可撓性を有する。ラッチビームは、ビームの撓まない休止位置では第１及び第２コネクタハウジングの一方の関連するラッチ要素とラッチするラッチ部材を有する。ラッチ部材は、横断軸に実質的に追従する弧状路に沿って移動し、ラッチ要素と係合及び係合解除する。
【０００７】
少なくとも代わりの一実施形態によれば、第１及び第２コネクタハウジングは、横断軸に沿って互いに離隔する１対のラッチ突起を有するヘッダを具備する。ラッチビームは、反対側の外側面に形成されたラッチ突起を有し、第１及び第２コネクタハウジングが互いに嵌合完了すると、ラッチ突起と係合関係になるように外方に付勢されて配置される。また、第１及び第２コネクタハウジングは、ヘッダの上壁の内面から下方に延びる１対のラッチ要素を有するヘッダを具備してもよい。１対のビームは、撓まない休止位置に配置されると、ラッチ要素と係合関係になるように付勢されて配置されるラッチ突起を有してもよい。少なくとも１本のラッチビームは、その上面に形成された切欠きを有する外端を有してもよい。この切欠きは、横方向に移動して、第１及び第２コネクタハウジングの一方の上壁の内面に配置されたラッチ歯と係合してもよい。ラッチビームは、縦軸に対して横方向に移動して歯と切欠きの係合を解除する。２本のラッチビームを有する少なくとも一実施形態において、ビームには、配置された前部及び後部を有する。後部は、互いに離れる方向に広がって第１位置に配置されているＣＰＡを間に保持するＣＰＡ仮係止(pre-staging)を定め、第２位置に配置されているＣＰＡを間に保持するＣＰＡ嵌合完了領域を定める。
【０００８】
少なくとも代わりの一実施形態によれば、ＣＰＡのビームブロック部は、ブロック面及び制限面に分割される傾斜側面を有するＶ形の切欠きを有する。制限面は、ラッチビームが休止位置に位置する際にラッチビームから離れた横方向に配置され、ＣＰＡがその第１位置に位置する際にラッチビームが横方向に移動することができる。ブロック面は、ラッチビームが休止位置に位置する際にラッチビームに直に隣接する位置に移動可能であるので、ＣＰＡが第２位置に位置する際にラッチビームをラッチ位置にしっかりと保持する。
【０００９】
少なくとも代わりの一実施形態によれば、電気コネクタ組立体は、ヘッダ、ＣＰＡ及びプラグを具備する。ヘッダ及びプラグは嵌合インタフェース及び後端を有する。ヘッダ及びプラグは、嵌合完了時にそれらの間に少なくとも１個の相互接続コンタクトを有する。組立体は、プラグ及びヘッダの一方に取り付けられるプラグ又はヘッダラッチ組立体を有する。ラッチ組立体は、第１ラッチ位置に通常は付勢され弧状路に沿って第２ラッチ位置に回動する少なくとも１本のラッチアームを有する。ラッチアームは、第１及び第２位置の間に移動する際にヘッダ及びプラグの一方のラッチ部材とそれぞれ係合及び係合解除する。組立体はさらにＣＰＡを有する。ＣＰＡは、プラグ及びヘッダの一方に摺動可能に取り付けられ、ラッチ組立体に対して第１及び第２のＣＰＡ位置の間を移動可能である。ＣＰＡは、第１及び第２のＣＰＡ位置において、ラッチアームの長さに沿って移動可能である。ＣＰＡは第１のＣＰＡ位置でラッチアームに基盤を置くので、ラッチアームが第２ラッチ位置に移動できる。ＣＰＡは第２のＣＰＡ位置でラッチアームと直に隣接した位置に移動するので、少なくとも１本のラッチアームが第１ラッチ位置から移動するのを阻止する。
【００１０】
【発明の実施の形態】
前述の本発明の概要は、以下の本発明の好適実施形態の詳細な説明と同様に、添付図面を参照して読むとより理解される。本発明の例示目的のため、現在のところ好適な実施形態が図に示されている。しかし、本発明は、添付図面に示された正確な構造及び手段に限定されないことを理解すべきである。
【００１１】
図１は、本発明の好適な一実施形態に従って形成されたプラグハウジング１０及びコネクタ位置保証装置（ＣＰＡ）１２の斜視図である。プラグハウジング１０は、嵌合方向に沿って延びる縦軸１８に沿ったプラグハウジング１０の両端に形成された電線受容後端１４及び嵌合端１６を有する。プラグハウジング１０は、連続的に形成された上面２０、底面２２及び両側壁２４を有する。上面２０は、その表面に取り付けられ縦軸１８に平行に整列したラッチ組立体２６を有する。
【００１２】
ラッチ組立体２６は、上面２０に取り付けられた、基部に近い側の端（基部近端）３０を有する１対のラッチビーム２８を有する。これらのラッチビーム２８は、互いに平行に、且つプラグハウジング１０の縦軸１８に平行に延びる。基部近端３０は嵌合端１６付近に配置されるが、ラッチビーム２８の遠端３２は電線受容後端１４近傍に配置される。ラッチビーム２８は、基部近端３０及び遠端３２の間の遠端３２に近い側に配置されるＣＰＡ保持部３４をさらに有する。少なくとも１本のラッチビーム２８は、停止面３８及び傾斜面４０を有するラッチ突起３６を具備する。ラッチ突起３６は、ラッチビーム２８の外側面に形成され、ラッチビーム２８から外方を向く。
【００１３】
プラグハウジング１０は、電線受容後端１４近傍に配置され且つ各側壁２４から上方に延びるポスト４２をさらに有する。ポスト４２はＬ字状をなし、その外端に停止制限面４４を有し、互いに向って延びる。停止制限面４４は、ラッチビーム２８上のＣＰＡ保持部３４と整合する。停止制限面４４及びポスト４２は、ラッチビーム２８が、横方向外方にラッチ組立体２６の必要な作動範囲を超えた過度の量を撓むのを防止するよう作用する。ポスト４２は、ラッチビーム２８の外部物体との引っ掛かり及び過度の撓みを防止する。また、ポスト４２は、外部物体のラッチビーム２８との干渉も防止する。
【００１４】
両ラッチビーム２８は、互いに略平行で且つプラグハウジング１０の縦軸１８に略平行な位置に通常は休止する。両ラッチビーム２８は、横断軸４６に沿った横方向に互いに向って撓むことができる。相互接続動作の際、ラッチビーム２８は、ラッチ突起３６がヘッダ５０の対応するラッチ構造（詳細は後述）と係合するまで、矢印Ａ、Ｂで示される方向に互いに向って内方に撓む。ラッチ突起３６がヘッダ５０の対応するラッチ構造と一旦係合すると、ラッチビーム２８は互いに略平行且つ縦軸１８に略平行な通常休止位置に戻る。
【００１５】
図２は、ＣＰＡ１２が除去された状態のプラグハウジング１０の詳細を示す。電線受容後端１４は、複数のリセプタクルコンタクト５４を収容するキャビティ５２を有する。キャビティには、コンタクト及び関連する電線が装填される。また図２に示されるように、ＣＰＡ保持部３４は、互いに平行に延びると共にラッチビーム２８の残余部分よりも互いから離れて位置する広がった端壁５６を有する。広がった端壁５６は、プラグハウジング１０及びヘッダ５０が嵌合する前にＣＰＡ１２を保持するＣＰＡ仮係止領域５８を定める。
【００１６】
プラグハウジング１０の上面２０は、プラグハウジング１０の各側面に沿って延びる凹んだ棚部６０を有する。凹んだ棚部６０は、ヘッダ５０の対応する構造と協働してプラグハウジング１０及びヘッダ５０間の適正な整合を保証する。
【００１７】
図３はヘッダ５０の斜視図である。ヘッダ５０は嵌合端７０及び後端７２を有する。ヘッダ５０は、上壁７４、底壁７６及び側壁７８を有する。ブラケット８０は、側壁７８に取り付けられると共に貫通孔８２を有する。ブラケット８０及び孔８２は、ヘッダ５０を適当な固定手段により支持構造に取り付け可能にする。後壁７２は、前方に延び且つプラグハウジング１０のリセプタクルコンタクト５４と整列する複数の電気ポスト８４を有する。電気ポスト８４は、プラグハウジング１０及びヘッダ５０が嵌合完了すると、リセプタクルコンタクト５４に取り付けられるコンタクトと電気的に接続する。電気ポスト８４は、ヘッダ５０から下方に延びる電気ピン８６と連通する。電気ピンは、電線、電気路等に接続される。底壁７６は、ヘッダ５０の嵌合方向と平行に延びる溝８８を有する。嵌合方向はプラグ１０の縦軸１８に対応する。溝８８は、プラグハウジング１０の底面２２に形成された突条（図示せず）を摺動可能に受容する。
【００１８】
上壁７４は、ヘッダ５０の各側面から内方に延びると共に互いに対面する１対の横棚部９０を有する。棚部９０は、プラグハウジング１０の上面２０の各側面凹んだ棚部６０と摺動可能に係合する。棚部９０は、プラグハウジング１０の案内面６２と摺動可能に係合する案内面９２を有する。上壁７４は、その表面に取り付けられ且つラッチ組立体２６を受容するキャビティ９６を画定するシュラウド９４をさらに有する。シュラウド９４は嵌合面９８及び上壁１００を有する。上壁１００はその表面に形成されたＵ字状リブ１０２を有する。切欠き１０４は、リブ１０２の内側の上壁１００内で分断され、互いに向って内側に延びる指１０６に隣接する。１つのエンボス１１０が上壁１００の下面に形成され、嵌合面９８付近の両側面近傍に配置される。エンボス１１０は、嵌合面９８に面する傾斜面と、後壁７２に面する停止面とを有する。少なくとも１本の指１０６は、指１０６から下方に延び且つ指１０６の外端近傍に配置されるラッチ突起１１２を有する。エンボス１１０及びラッチ突起１１２は、本発明の異なる実施形態と作用してプラグハウジング１０及びヘッダ５０を互いにラッチする。
【００１９】
図４及び図９は、ＣＰＡ１２の詳細を示す斜視図である。ＣＰＡ１２は、垂直ポスト１１６に取り付けられた基部１１４を有する。垂直ポスト１１６の上端は、作業者がＣＰＡ１２を前後方向に移動させる、リブが形成されたプラットフォーム１１８を有する。基部１１４は縦切欠き１２０及び横切欠き１２２を有する。縦切欠き１２０は基部１１４の底面の各側面に沿って形成されるが、横切欠き１２２は基部１１４の後端１２４に沿って延びる。横切欠き１２２は、プラグハウジング１０の後端１４に沿って形成された棚部１２６と係合する。ＣＰＡ１２がプラグハウジング１０に一旦取り付けられると、基部１１４はポスト４２及び棚部１２６の間の上面２０のポケット１２８内に落ち込む。棚部１２６は、ＣＰＡ１２がポケット１２８内の仮係止(pre-staged)位置に一旦挿入されると、ＣＰＡ１２がプラグハウジング１０から全体が外れるのを防止する。ＣＰＡ１２は、主部１３２及び外側二股部１３４を有する楔状本体１３０をさらに有する。外側二股部１３４は、ＣＰＡ１２の前面１３８から後方に延びる切欠き１３６を有する。主部１３２は外側二股部１３４の幅よりも大きな幅を有し、主部１３２及び外側二股部１３４は面取りされた面１４０により結合されている。基部１１４は主部１３２を超えて横方向に延び、ＣＰＡ１２の各側面の翼部１４２を定める。ポスト１１６には、湾曲した前面１４４を有するＴ字状断面が形成される。
【００２０】
図５は、嵌合完了位置で結合されたプラグハウジング１０及びヘッダ５０の斜視図である。ここで、ＣＰＡ１２は初期の仮係止位置に配置される。図６は、プラグハウジング１０及びヘッダ５０の平面を示す、図５の６−６線に沿った断面図である。ここで、シュラウド９４の上壁１００は除かれている。図５及び図６に示されるように、ＣＰＡ１２は、主部１３２が広がった端壁５６の間に配置された状態に位置する。ＣＰＡの主側面１４６は、端壁５６から所定距離Ｄ１だけ離隔している。ＣＰＡの外側面１４８は、ラッチビーム２８の内側面１５０から所定距離Ｄ２だけ離隔している。距離Ｄ１、Ｄ２は、ヘッダ５０及びプラグハウジング１０が嵌合関係に結合されると、ラッチビーム２８が矢印Ａ、Ｂの方向に撓むことができる十分な距離である。ヘッダ５０及びプラグハウジング１０が一旦嵌合完了すると、ラッチ突起３６はエンボス１１０にスナップ係合するので、ラッチビームが図６に図示される休止位置に外側へ撓むことができる。プラグハウジング１０及びヘッダ５０が一旦完了すると、ＣＰＡ１２は図７及び図８に図示されるように係合位置に移動することができる。
【００２１】
図７は、ヘッダ５０と嵌合完了するプラグハウジング１０の斜視図である。ここで、ＣＰＡ１２はロック位置に移動している。図８は、図７の位置のプラグハウジング１０、ヘッダ５０及びＣＰＡ１２の平面を示す、図７の８−８線に沿った断面図である。ＣＰＡ１２がロック位置に一旦移動すると、ＣＰＡ１２の主側壁１４６は、ラッチビーム２８の内側面１５０に直に隣接して配置される。ＣＰＡ１２の主側壁１４６は、ラッチビーム２８が矢印Ａ，Ｂの方向に沿って内方に撓むのを防止する。ＣＰＡ１２は、初期の仮係止位置（図５及び図６）から最終ロック位置（図７及び図８）まで移動すると、ポスト１１６の前面が指１０６と係合するまで前方に移動する。ＣＰＡ１２が最終ロック位置に位置すると、リブが形成されたプラットフォーム１１８はＵ字状リブ１０２の内側に受容される。指１０６はプラットフォーム１１８を支持する。
【００２２】
プラグハウジング１０がヘッダ５０と係合解除するためには、作業者がプラットフォーム１１８を押圧することにより、最初に矢印Ｃ（図７）の方向に沿って後方にＣＰＡ１２を摺動させる。ＣＰＡ１２が図６に示される位置に一旦移動すると、広がった端壁５６は、ラッチ突起３６が互いに向って内方に移動してエンボス１１０を超えてスリップするまで、矢印Ｄ，Ｅの方向に互いに向って内方に圧搾される。その後、プラグハウジング１０はヘッダから外すことができる。
【００２３】
図１０は、本発明の別の実施形態に従ったプラグハウジング２１０を示す。プラグハウジング２１０は、縦軸２１８に沿って延びるプラグハウジング２１０の両端に位置する電線受容後端２１４及び嵌合端２１６を有する。縦軸２１８は、プラグハウジング２１０及びヘッダ５０が互いに向って移動してそれらの間に嵌合接続を形成する方向を示す。プラグハウジング２１０は、上面２２０、底面２２２及び側壁２２４を有する。ラッチ組立体２２６は上面２２０に取り付けられる。ラッチ組立体２２６は、基部近端２３０及び遠端２３２を有する単一のラッチビーム２２８を有する。ラッチ切欠き２３５は、遠端２３２付近のラッチビーム２２８の上面から切除される。基部近端２３０は、支軸部材２３７を介してプラグハウジング２１０上に取り付けられる。支軸部材２３７により、ラッチビーム２２８が横断軸２４６に沿って横方向左右に撓むことができる。また、ＣＰＡ保持部２３４が上面２２０上に形成される。ＣＰＡ保持部２３４は、基部２３３で上面２２０に取り付けられる。ＣＰＡ保持部２３４は、基部２３３から離れた嵌合端２１６に向って延びる１対の脚２３９を有する。脚２３９は、溝２４１により分割され、脚２３９の外端から上方に延びる垂直ポスト２４３を有する。垂直ポスト２４３は、溝２４１により分割されるが横断部材２４５により連結される。間隙２４７が、脚２３９とプラグハウジング２１０の上面２２０との間に位置する。
【００２４】
プラグハウジング２１０は、ラッチ組立体２２６の各側面に沿って上方に延び且つ上端でＬ字状に内方を向いて停止制限面２４４を画定する制限ポスト２４２をさらに有する。停止制限面２４４及び制限ポスト２４２は、ラッチビーム２２８の横方向の過度の撓みを防止し、外部物体がプラグハウジング２１０の動作に干渉するのを阻止する。
【００２５】
嵌合端２１６はコンタクト開口２１７を有する。底面２２２は１対のすべり突条２２３を有する。すべり突条２２３は、縦軸２１８に略平行な方向にプラグハウジング２１０の底面に沿って延び、ヘッダ５０の底壁７６の溝８８内に受容される。
【００２６】
図１１は、ＣＰＡ２１２が初期の仮係止位置に配置された状態のプラグハウジング２１０の斜視図である。図１１によく示されているように、ラッチビーム２２８は、基部近端２３０にラッチビーム２２８と共にＴ字状を形成するクロスバー２３１を有する。基礎柱２２７は、クロスバー２３１の下の横方向中央に位置し、プラグハウジング２１０の上面２２０に向って突出する。基礎柱２２７は上面２２０に固定されていないが、代わりに左右に移動可能でありながら上面２２０上に休止する。また、クロスビーム２３１は、その各端近傍の基礎柱２２７の横に配置された両エンボス２２９を有する。両エンボス２２９はクロスビーム２３１から下方に突出し、ラッチビーム２２８に横方向の支持を与え、ラッチビーム２２８が矢印Ｆの方向左右に横断方向に撓むのを可能にし、ラッチビーム２２８がその軸の回りに捩れるのを防止する。
【００２７】
図１２ないし図１４は、別の実施形態に従ったＣＰＡ２１２の斜視図である。ＣＰＡ２１２は、前端３２３及び後端３２４を有する基部３１４を有する。立ち上がった部分３２１，３２５は、基部３１４から上方に突出すると共に前端３２３から後端３２４まで延びる。立ち上がった部分３２１，３２５は、後端３２４を超えて後方に突出する棚部３２６を有する。棚部３２６は、上方に延びると共にリブが形成されたプラットフォーム３１８を有する垂直ポスト３１６を有する。リブが形成されたプラットフォーム３１８は、作業者がＣＰＡ２１２を仮係止位置及び最終位置間を移動させる面として作用する。また、ＣＰＡ２１２は、前端３２３から後方に延びる楔形切欠き３３０を有する。この切欠き３３０は、平坦な側面３３１、面取りされた反対側の面３４０及びラッチビームブロック面３３３を有する。切欠き３３０の後端は開口３３５を有する。ＣＰＡ２１２は、立ち上がった部分３２１，３２５の各側面に配置された側壁３３７及び棚部３３９を有する。立ち上がった部分３２１，３２５は上面３４１を有する。
【００２８】
ＣＰＡ２１２は、図３に示されたヘッダ５０に嵌る形状である。ＣＰＡ２１２が最終ロック位置に移動すると、棚部３３９はエンボス１１０の直ぐ下に配置され、他方、上面３４１は指１０６の下面１１１の直ぐ下に配置される。ＣＰＡ２１２の基部３１４は棚部９０の上面に摺動する。Ｖ字状ラッチ突起３７０は、上壁１００の内面上に配置され、シュラウド９４から下方を向く。ラッチ突起３７０は、ラッチビーム２２８上のラッチ切欠き２３５内に嵌る。
【００２９】
図１５及び図１６は、プラグハウジング１２０、嵌合完了位置のヘッダ５０、及び初期の仮係止位置のＣＰＡ２１２を示す。図１６は、図１５の１６−１６線に沿った断面図を示し、組立体全体の平面を示す。ＣＰＡ２１２は、初期の仮係止位置では、ラッチ切欠き２３５のブロック面３３３及び平坦側面３３１の反対側の部分が回動部材２３７に直に隣接して配置されるように、配置される。回動部材２３７の回りにはラッチビーム２２８が回動する。面取り面３４０は側面に沿って配置されるが、ラッチビーム２２８の内側面３５０から離れていることにより、ラッチビーム２２８の端部上のラッチ突起２３６がヘッダ５０上のラッチ突起３７０を超えるまで、ラッチビーム２２８が矢印Ｇの方向に沿った側方に回動することができる。次に、ラッチビーム２２８は（図１６に示される）休止位置に移動する。この休止位置では、ラッチ突起１１２がラッチ切欠き２３５内にある。
【００３０】
ラッチビーム２２８が撓んで休止位置に一旦戻ると、ＣＰＡ２１２は図１７及び図１８に示されるロック位置に移動することができる。図１８は、図１７の１８−１８線に沿った断面を示す。ＣＰＡ２１２がその最終位置に摺動すると、ブロック面３３３はラッチ切欠き２３５付近のラッチビーム２２８の遠端２３２近傍に配置される。ブロック面３３３は、ラッチビーム２２８の側面３５０に直に隣接して配置されて側面３５０と係合し、ラッチビームの左右横方向の移動を防止する。ＣＰＡの最終位置において、ＣＰＡ２１２はプラグハウジング２１０及びヘッダ５０の最終嵌合位置を保証する。プラグハウジング２１０からヘッダ５０を外すために、最初に、ＣＰＡ２１２が矢印Ｈ（図１７参照）の方向に摺動して初期の仮係止位置に戻る。ＣＰＡ２１２がその初期の仮係止位置に一旦配置されると、ラッチビーム２２８は矢印Ｇ（図１６参照）の方向に沿った横方向に撓むことができ、ラッチ突起３７０を係合解除すると共にヘッダ５０及びプラグハウジング２１０が接続解除できる。
【００３１】
本発明の特定の要素、実施形態及び用途を説明してきたが、当業者であれば特に前述の開示に鑑みて変更が可能であるので、本発明は前述の要素等に限定されないことはもちろんである。従って、本発明の真髄及び範囲内でこれらの変更をカバーする添付の特許請求の範囲で考慮される。
【図面の簡単な説明】
【図１】本発明の好適一実施形態に従って形成されたプラグ及びＣＰＡ組立体の斜視図である。
【図２】本発明の好適一実施形態に従って形成されたプラグハウジングの斜視図である。
【図３】本発明の好適一実施形態に従って形成されたヘッダ組立体の斜視図である。
【図４】本発明の好適一実施形態に従って形成されたＣＰＡの斜視図である。
【図５】本発明の好適一実施形態に従った、プラグ、ヘッダ及び仮係止状態で相互接続されたＣＰＡ組立体が嵌合完了位置で結合された状態の斜視図である。
【図６】本発明の好適一実施形態に従った、ヘッダ、プラグ及びＣＰＡの平面を示す、図５の６−６線に沿った断面図である。
【図７】本発明の好適一実施形態に従った、プラグ、ヘッダ及び最終ロック位置のＣＰＡの斜視図である。
【図８】本発明の好適一実施形態に従って形成されたプラグ、ヘッダ及びＣＰＡを示す、図７の８−８線に沿った断面図である。
【図９】本発明の好適一実施形態に従って形成されたＣＰＡの斜視図である。
【図１０】本発明の別の実施形態に従って形成されたプラグハウジングを示す斜視図である。
【図１１】本発明の好適一実施形態に従った、プラグ及び初期の仮係止位置のＣＰＡの斜視図である。
【図１２】本発明の別の実施形態に従って形成されたＣＰＡを上側から見た斜視図である。
【図１３】本発明の別の実施形態に従って形成されたＣＰＡを底側から見た斜視図である。
【図１４】本発明の別の実施形態に従って形成されたＣＰＡを前側から見た斜視図である。
【図１５】本発明の別の実施形態に従ったプラグ、ヘッダ及び仮係止状態のＣＰＡ組立体が嵌合完了状態の斜視図である。
【図１６】本発明の別の実施形態に従った図１５のプラグ、ヘッダ及びＣＰＡの平面を示す、図１５の１６−１６線に沿った断面図である。
【図１７】本発明の別の実施形態に従ったプラグ、ヘッダ及び最終ロック位置のＣＰＡの斜視図である。
【図１８】図１７の実施形態に従ったプラグ、ヘッダ及びＣＰＡの平面を示す、図１７の１８−１８線に沿った断面図である。
【符号の説明】
１０，２１０    プラグハウジング
１２，２１２    コネクタ位置保証装置（ＣＰＡ）
１４，２１４    後端
１６，２１６    嵌合インタフェース（嵌合端）
１８，２１８    縦軸
２６，２２６    ラッチ組立体
２８，２２８    ラッチビーム
４４，２４４    制限面
３３１，３３３  ビームブロック部（ブロック面）
【図１】
0004225454.tif 000002
【図２】
0004225454.tif 000003
【図３】
0004225454.tif 000004
【図４】
0004225454.tif 000005
【図５】
0004225454.tif 000006
【図６】
0004225454.tif 000007
【図７】
0004225454.tif 000008
【図８】
0004225454.tif 000009
【図９】
0004225454.tif 000010
【図１０】
0004225454.tif 000011
【図１１】
0004225454.tif 000012
【図１２】
0004225454.tif 000013
【図１３】
0004225454.tif 000014
【図１４】
0004225454.tif 000015
【図１５】
0004225454.tif 000016
【図１６】
0004225454.tif 000017
【図１７】
0004225454.tif 000018
【図１８】
0004225454.tif 000019